(57)【特許請求の範囲】
【請求項１】
住戸内に設けられ、インターホン機能を有するとともに、錠前の施解錠を選択的に指示操作する操作盤と、
前記操作盤から施解錠指示操作が入力されたとき又は住戸外から正当な施解錠情報を取得したときに前記錠前を施解錠する電気ストライク部とを備えた電気錠システムにおいて、
前記電気ストライク部は、前記住戸外の映像を撮影するとともにインターホン機能を有するインターホン部と一体化して扉枠に設けられる電気ストライクユニットを構成し、
前記操作盤は、前記電気ストライクユニットと相互に通信可能とされ、前記インターホン部から少なくとも前記住戸外からの呼び出し操作による状態変化が発生したときの前記住戸外の映像が前記電気ストライクユニットから転送されて記憶する記憶部を有することを特徴とする電気錠システム。
【請求項２】
前記操作盤は、前記インターホン部が撮影して前記電気ストライクユニットから転送される画像を表示する表示部を備えたことを特徴とする請求項１記載の電気錠システム。
【発明の詳細な説明】
【技術分野】
【０００１】
本発明は、玄関等の扉の錠前を電気的に施解錠制御する電気錠システムに係り、特に施工の簡略化を図ってインターホン機能を実現することができる電気錠システムに関するものである。
【背景技術】
【０００２】
近年、ホテルやオフィスビル等の商業施設や公共施設の入出口、集合住宅や一般住宅のエントランスや玄関等には電気錠システムが広く普及している。そして、この種の電気錠システムに採用されるテレビドアホン装置の一例として、例えば下記特許文献１に開示されるものが知られている。
【０００３】
特許文献１に開示されるテレビドアホン装置５１は、図３に示すように、住戸外（屋外）の住戸玄関に設置されるテレビドアホン５２と、住戸内（屋内）に設置されるテレビインターホン親機５３と、ドア５４とで構成される。
【０００４】
テレビドアホン５２は、居住者の呼び出しや暗証入力起動時に押下される呼び出しボタン５２ａと、来訪者等の映像を撮影するテレビカメラ５２ｂと、ドア５４の電気錠の解錠時に暗証番号を入力するための暗証番号入力部５２ｃと、テレビカメラ５２ｂで撮影される映像や暗証番号入力部５２ｃの数字エリアの輝度が均等になるように点灯するライト５２ｄと、テレビインターホン親機５３を使用する居住者との音声による通過を可能にするために来訪者等が用いる音声入出力部５２ｅとで構成される。
【０００５】
テレビインターホン親機５３は、テレビドアホン５２のテレビカメラ５２ｂで撮影される来訪者等の映像を映し出し再生するモニタ５３ａと、ドア５４の電気錠の解錠時に押下される電気錠解錠ボタン５３ｂと、テレビドアホン５２の音声入出力部５２ｅを用いる来訪者等との音声による通話を可能にするために居住者が用いるハンドセット５３ｃとで構成される。
【０００６】
ドア５４は、テレビインターホン親機５３の電気錠解錠ボタン５３ｂが押下されたときに出力される電気錠解錠信号により電気錠を解錠動作する電気錠駆動部５４ａと、ドア５４の開閉を行うドアノブ５４ｂとで構成される。
【０００７】
この特許文献１に開示されるテレビドアホン装置５１では、暗証番号入力部５２ｃと映像の撮影機能を有するテレビカメラ５２ｂとを一体化させることにより、住戸玄関に別途に暗証番号入力部を設置する必要がなく、テレビドアホン５２の小型化が図れ、施工時における暗証番号入力部用の配線を不要としている。
【特許文献１】特開平１１−２７５５６９号公報
【発明の開示】
【発明が解決しようとする課題】
【０００８】
しかしながら、上述した特許文献１に開示されるテレビドアホン装置５１を採用したものを含め、従来から知られている電気錠システムでは、インターホン機能を実現するために、扉の錠前を電気的に施解錠制御する電気ストライク（図３の電気錠駆動部５４ａ）と、カメラ付のインターホン装置（図３のテレビドアホン５２）とがそれぞれ独立したシステムとして構築、施工されていた。このため、独立した電気ストライクとインターホン装置とのそれぞれの施工が必要不可欠であり、施工に負担を要するという課題があった。
【０００９】
しかも、従来のインターホン機能を有する電気錠システムでは、電気ストライクだけで施解錠操作があった時の画像を記録することができず、画像記録のためには防犯カメラやインターホン装置を別途設置する工事が必要であり、施工や費用負担が大きかった。
【００１０】
そこで、本発明は上記問題点に鑑みてなされたものであり、施工の簡略化を図ってインターホン機能を実現することができる電気錠システムを提供することを目的とするものである。
【課題を解決するための手段】
【００１１】
上記した目的を達成するために、請求項１に記載された電気錠システムは、住戸内に設けられ、インターホン機能を有するとともに、錠前の施解錠を選択的に指示操作する操作盤と、
前記操作盤から施解錠指示操作が入力されたとき又は住戸外から正当な施解錠情報を取得したときに前記錠前を施解錠する電気ストライク部とを備えた電気錠システムにおいて、
前記電気ストライク部は、前記住戸外の映像を撮影するとともにインターホン機能を有するインターホン部と一体化して扉枠に設けられる電気ストライクユニットを構成し、
前記操作盤は、前記電気ストライクユニットと相互に通信可能とされ、前記インターホン部から少なくとも前記住戸外からの呼び出し操作による状態変化が発生したときの前記住戸外の映像が前記電気ストライクユニットから転送されて記憶する記憶部を有することを特徴とする。
【００１２】
請求項２に記載された電気錠システムは、請求項１の電気錠システムにおいて、
前記操作盤は、前記インターホン部が撮影して前記電気ストライクユニットから転送される画像を表示する表示部を備えたことを特徴とする。
【発明の効果】
【００１４】
本発明に係る電気錠システムによれば、インターホン機能を有する操作盤と、複数の機能（本来の錠前の施解錠機能に加え、インターホン機能や撮影機能）を兼ね備えた電気ストライクユニットから構成され、操作盤を住戸内に設置し、電気ストライクユニットを扉枠に設置して操作盤と通信可能に配線接続するだけの簡単な施工によりインターホン機能を構築することができる。しかも、単一の電気ストライクユニットのみで複数の機能を構築できるので、製品コストを抑えることができる。
【００１５】
また、住戸外側にインターホン機能を実現するにあたって、扉枠に電気ストライクユニットを設置するだけの施工で済むため、防犯カメラやインターホン装置分の施工負担を減らすことができる。しかも、電気ストライクユニットは、撮影機能も兼ねるので、カメラ部が別設置にならず、意匠性も向上する。
【００１６】
さらに、住戸内に設置される操作盤と、扉枠に設置される電気ストライクユニットとの間が通信可能に配線接続される構成であり、扉内に電気的構成がなく、例えば通電金具などを用いた扉枠と扉との間の電気的配線が不要なので、配線作業の手間を省くことができる。
【００１７】
また、操作盤の記憶部には、住戸外からの呼び出し操作や錠前の施解錠操作による状態変化が発生したときに、インターホン部のカメラ部が撮影した画像を履歴情報とともに記憶するので、画像も含めた出入管理を行うことができる。しかも、状態変化が発生した時のみカメラ部が撮影し、その画像を記憶部に記憶させれば、メモリを節約して効率的な記録を行うことができる。また、住戸外からの呼び出し操作による状態変化が発生したときの画像も履歴情報とともに記憶部に記憶されるので、帰宅時に記憶部に記憶された画像を再生することにより、不在時に何時誰が来訪したかを知ることができる。
【発明を実施するための最良の形態】
【００１８】
以下、本発明の最良の形態について、添付した図面を参照しながら詳細に説明する。図１は本発明に係る電気錠システムのブロック構成図、図２は同電気錠システムの全体構成を示す概略図である。
【００１９】
図１及び図２に示すように、本例の電気錠システム１は、錠前７の施解錠制御機能に加えてＩＤ（暗証番号）などの情報取得機能とインターホン機能とを兼ね備えた電気ストライクユニット２と、錠前７の施解錠指示機能に加えてインターホン機能を兼ね備えた操作盤３とから概略構成される。ここでは、住戸人が住戸外から錠前７の施解錠するときに携帯機４を用いる構成を例にとって説明する。
【００２０】
電気ストライクユニット２は、施工時に扉枠５に組み込んで設けられ、通信インターフェース（以下、通信ＩＦと略称する）１１を介して操作盤３との間で通信可能に接続される。また、電気ストライクユニット２は、電源インターフェース（以下、電源ＩＦと略称する）１２を介して操作盤３と接続され、各部の駆動に必要な電源が操作盤３から供給される。
【００２１】
電気ストライクユニット２は、上記通信ＩＦ１１及び電源ＩＦ１２に加え、電気ストライク部１３、リーダー部１４、インターホン部１５を一体に組み込んだ単一のユニットとして構成される。
【００２２】
電気ストライク部１３は、錠前７を電気的に施解錠制御する機能を有するもので、状態監視部１３ａ、記憶部１３ｂ、制御部１３ｃ、錠駆動部１３ｄを備えている。
【００２３】
状態監視部１３ａは、例えばマイクロスイッチやリードスイッチなどの各種検知センサで構成され、錠前７の施解錠状態、扉６の開閉状態を監視し、この監視結果をモニタ信号として制御部１３ｃに出力している。
【００２４】
記憶部１３ｂは、例えば磁気的、光学的記憶媒体若しくはＲＯＭ、ＲＡＭ等の半導体メモリで構成され、携帯機４から取得した施解錠情報（個別ＩＤを含む錠前７の解錠又は施錠を指示する情報）が正当な情報であるか否かを判別するための認証用情報、状態監視部１３ａからのモニタ信号（錠前の施解錠状態や扉の開閉状態を示す信号）等の錠前７の施解錠制御に関わる各種データを記憶している。
【００２５】
制御部１３ｃは、例えばＣＰＵやＲＯＭ，ＲＡＭなどを有するマイクロコンピュータで構成され、各部を統括制御している。この制御部１３ｃが実行する制御内容としては、後述するリーダー部１４が携帯機４から取得した施解錠情報の正当性を判別している。
【００２６】
そして、制御部１３ｃは、携帯機４からの情報を正常認証したときに、状態監視部１３ａからのモニタ信号によって現在の錠前の施解錠状態や扉の開閉状態を認識し、錠前を解錠するときには錠駆動部１３ｄに解錠駆動信号を出力し、錠前を施錠するときには錠駆動部１３ｄに施錠駆動信号を出力している。
【００２７】
また、制御部１３ｃは、操作盤３から解錠指示信号（又は施錠指示信号）が入力されたときに、状態監視部１３ａからのモニタ信号によって現在の錠前の施解錠状態や扉の開閉状態を認識し、錠前を解錠するときには錠駆動部１３ｄに解錠駆動信号を出力し、錠前を施錠するときには錠駆動部１３ｄに施錠駆動信号を出力している。
【００２８】
さらに、制御部１３ｃは、住戸外からの呼び出し操作や錠前７の施解錠操作による状態変化が発生したときに、後述するインターホン部１５のカメラ部１５ｃを起動制御している。具体的には、住戸外からインターホン部１５による呼び出し操作があったとき、リーダー部１４が携帯機４から施解錠情報を取得したとき、操作盤３から錠前７の施解錠指示操作があったときにカメラ部１５ｃを起動している。そして、制御部１３ｃは、カメラ部１５ｃが撮影した来訪者等の画像（時間情報を含む）を後述する操作盤３の記憶部２７に記憶させるべく、通信ＩＦ１１，２１を介して操作盤３に転送制御している。
【００２９】
錠駆動部１３ｄは、制御部１３ｃからの駆動信号（解錠駆動信号又は施錠駆動信号）で駆動するモータやソレノイド等の駆動装置で構成され、錠前７の扉６側の係止穴に対してデッドボルトを突出（施錠時）又は引き込む（解錠時）ことにより錠前７を施解錠している。
【００３０】
次に、リーダー部１４は、携帯機４からの情報を取得するＩＤ取得部１４ａとして、例えばリモコンキー等の無線型キーや携帯電話から送信された施解錠情報を読み取るための情報読取器、磁気カード，ＩＣカード，非接触型ＩＣチップやＲＦＩＤタグ（Radio Frequency Identification Tag）を搭載した非接触型ＩＣカード等の各種カード状記憶媒体から施解錠情報を読み取るカードリーダ等で構成される。リーダー部１４（ＩＤ取得部１４ａ）は、携帯機４を用いて施解錠操作された際に、その携帯機４からの施解錠情報を取得し、この取得した施解錠情報を制御部１３ｃに出力している。
【００３１】
次に、インターホン部１５は、操作部１５ａ、表示部１５ｂ、カメラ部１５ｃ、音声入出力部１５ｄを備えている。
【００３２】
操作部１５ａは、例えば住戸内の住戸人を呼び出すための呼び出しボタン等の操作キーで構成される。
【００３３】
表示部１５ｂは、例えば液晶等の表示器で構成され、後述する操作盤３のカメラ部２５が撮影して転送される住戸内の画像を表示している。
【００３４】
カメラ部１５ｃは、制御部１３ｃによって起動制御されるＣＣＤカメラ等の撮像装置で構成され、住戸外の来訪者（住戸人を含む）等の映像を撮影している。
【００３５】
音声入出力部１５ｄは、例えばマイクやスピーカ、ハンドセット等で構成され、通信ＩＦ１１を介して住戸内の住戸人と音声による通話を行うものである。なお、後述する操作盤３の操作部２３の指示により住戸内の映像が転送されて表示部１５ｂに表示されている場合には、お互いに撮影画像を見ながら音声通話が可能となる。
【００３６】
次に、操作盤３は、住戸内の壁面等に設けられ、通信インターフェース（以下、通信ＩＦと略称する）２１を介して電気ストライクユニット２との間で通信可能に接続される。また、操作盤３には、各部の駆動に必要な電源が住戸内の商用電源から供給され、電源インターフェース（以下、電源ＩＦと略称する）２２を介して電気ストライクユニット２に電源を供給している。
【００３７】
操作盤３は、錠前７の施解錠指示機能に加えてインターホン機能を兼ね備えたものであり、図１に示すように、上記通信ＩＦ２１及び電源ＩＦ２２に加え、操作部２３、表示部２４、カメラ部２５、音声入出力部２６、記憶部２７、制御部２８を備えている。
【００３８】
操作部２３は、住戸内から操作されるもので、例えば錠前７の解錠や施錠を指示する施錠・解錠ボタン、カメラ部２５や音声入出力部２６を選択的に起動する起動ボタン、電気ストライクユニット２から転送されて記憶部２７に記憶される住戸外画像を再生する再生ボタン、記憶部２７に記憶された住戸外画像や履歴情報を消去する消去ボタン等で構成される。
【００３９】
表示部２４は、例えば液晶等で表示器で構成され、操作部２３の各種操作状態、錠前７の施解錠状態、扉６の開閉状態、カメラ部１５ｃが撮影した画像表示等を行っている。
【００４０】
カメラ部２５は、ＣＣＤカメラ等の撮像装置で構成され、操作部２３からの指示により起動して住戸内の人等の映像を撮影している。このカメラ部２５が撮影した住戸内の映像は、通信ＩＦ２１を介して電気ストライクユニット２に転送され、インターホン部１５の表示部１５ｂに表示される。
【００４１】
音声入出力部２６は、例えばマイクやスピーカ、ハンドセット等で構成され、表示部２４に表示される画像を見ながら通信ＩＦ２１を介して住戸外の来訪者等と音声による通話を行うものである。
【００４２】
記憶部２７は、例えば磁気的、光学的記憶媒体若しくはＲＯＭ、ＲＡＭ等の半導体メモリで構成され、インターホン部１５から通信ＩＦ２１を介して転送される画像、すなわち状態変化（呼び出し操作、施解錠操作）が発生したときにカメラ部１５ｃが撮影した来訪者等の画像を履歴情報（呼び出し操作、施解錠操作、開閉操作などの操作履歴情報）とともに記憶している。また、記憶部２７には、操作盤３の操作制御に関わる各種データが記憶されている。
【００４３】
なお、カメラ部１５ｃが撮影した画像の記憶部２７への記憶は、状態変化（呼び出し操作、施解錠操作、扉の開閉操作など）後の時間が予め操作盤３の操作部２３で設定される設定時間を経過したときに自動停止したり、操作盤３の操作部２３の操作により手動停止することができる。また、記憶部２７に記憶された画像や履歴情報は、操作盤３の操作部２３の操作により消去することができる。
【００４４】
制御部２８は、例えばＣＰＵやＲＯＭ，ＲＡＭなどを有するマイクロコンピュータで構成され、各部を統括制御している。この制御部２８が実行する制御内容としては、操作部２３からの起動指示に基づくカメラ部２５の起動制御、電気ストライクユニット２から通信ＩＦ２１を介して転送されるカメラ部２５の住戸外画像を履歴情報とともに記憶部２７に記憶させる制御、操作部２３の操作による錠前の解錠（又は施錠）を指示する解錠指示信号（又は施錠指示信号）を通信ＩＦ２１を介して電気ストライクユニット２に出力する制御、記憶部２７に記憶された住戸外画像の再生制御等を行っている。
【００４５】
なお、操作盤３のカメラ部２５は、必要不可欠な構成ではなく、必要に応じて設ける構成としても良い。
【００４６】
次に、携帯機４は、住戸人が住戸外から錠前７を施解錠する際に用いるものであり、例えば磁気カード，ＩＣカード，非接触型ＩＣカード等のカード状記憶媒体、携帯電話、リモコンキー等の無線型キー等の施解錠用キーで構成される。携帯機４は、錠前を施解錠する際に所定の施解錠操作（例えばリーダー部１４にかざす操作）がなされ、携帯機４を所持する利用者を識別するための個別ＩＤや錠前７の解錠や施錠を指示する施解錠情報がリーダー部１４（ＩＤ取得部１４ａ）によって取得される。
【００４７】
次に、上記のように構成される電気錠システム１の動作について説明する。まず、住戸人が住戸外から携帯機４を用いて施錠・閉扉状態の錠前７を解錠する場合の動作について説明する。
【００４８】
住戸人が自分の住戸の扉６の前で所持する携帯機４をリーダー部１４（ＩＤ取得部１４ａ）にかざすと、リーダー部１４（ＩＤ取得部１４ａ）が携帯機４から施解錠情報を取得し、取得情報が電気ストライク部１３の制御部１３ｃに出力される。同時に、インターホン部１５のカメラ部１５ｃを起動し、カメラ部１５ｃが住戸外の住戸人を撮影する。このカメラ部１５ｃが撮影した画像は、通信ＩＦ１１，２１を介して操作盤３に送信され、履歴情報とともに記憶部２７に逐次記憶される。そして、制御部１３ｃは、取得情報を記憶部１３ｂの認証用情報と照合して取得情報が正当な情報か否かを判別する。制御部１３ｃは、取得情報を正常認証すると、状態監視部１３ａからのモニタ信号により現在の状態が施錠・閉扉状態であることを認識し、錠駆動部１３ｄに解錠駆動信号を出力する。錠駆動部１３ｄは、解錠駆動信号が入力されると、錠前７を解錠制御する。これにより、錠前７が解錠状態となり、扉６の開閉により住戸内への出入りが可能となる。
【００４９】
次に、来訪者から呼び出しがあったときに、住戸内の操作盤３の操作により施錠・閉扉状態の錠前７を解錠する場合の動作について説明する。
【００５０】
来訪者は、住戸外の電気ストライクユニット２におけるインターホン部１５の操作部１５ａを操作（呼び出しボタンの押下）して呼び出し指示する。電気ストライク部１３の制御部１３ｃは、操作部１５ａから呼び出し指示があると、通信ＩＦ１１，２１を介して操作盤３に呼び出し指示信号を出力する。同時に、インターホン部１５のカメラ部１５ｃを起動し、カメラ部１５ｃが住戸外の来訪者を撮影する。このカメラ部１５ｃが撮影した画像は、通信ＩＦ１１，２１を介して操作盤３に送信され、履歴情報とともに記憶部２７に逐次記憶される。操作盤３の制御部２８は、呼び出し指示信号が入力されると、音声入出力部２６を駆動して（例えば呼び出し音を鳴らす）来訪者があることを住戸人に知らせる。同時に、電気ストライクユニット２から送信される来訪者の画像を表示部２４に表示する。そして、住戸人は、来訪者があることを知り、操作盤３の表示部２４に映し出される画像を見て、音声入出力部２６により来訪者と音声で通話をし、入室させて良い来訪者であれば、操作部２３を操作（解錠ボタンの押下）して解錠指示する。制御部２８は、操作部２３から解錠指示があると、通信ＩＦ２１，１１を介して電気ストライクユニット２における電気ストライク部１３の制御部１３ｃに解錠指示信号を出力する。電気ストライク部１３の制御部１３ｃは、解錠指示信号が入力されると、状態監視部１３ａからの現在の錠前７の施解錠状態及び扉６の開閉状態を認識し、錠駆動部１３ｄに解錠駆動信号を出力する。錠駆動部１３ｄは、解錠駆動信号が入力されると、錠前７を解錠制御する。これにより、錠前７は解錠状態となり、扉６の開閉により住戸内への出入りが可能となる。
【００５１】
なお、上記動作において、来訪者から呼び出しがあったときに、操作盤３の操作部２３の操作（起動操作）によりカメラ部２５を起動して住戸人を撮影し、この撮影した画像を通信ＩＦ２１，１１を介して電気ストライクユニット２に送信してインターホン部１５の表示部１５ｂに表示させても良い。この場合、住戸人と来訪者はお互いの顔を見ながら音声による通話が可能となる。
【００５２】
次に、住戸内の操作盤３を操作して解錠状態の錠前７を施錠する場合の動作について説明する。
【００５３】
住戸内の人は、解錠状態にある錠前７を施錠するために、扉６を閉めた状態で操作盤３の操作部２３を操作（施錠ボタンの押下）して施錠指示する。制御部２８は、操作部２３から施錠指示があると、通信ＩＦ２１，１１を介して電気ストライクユニット２における電気ストライク部１３の制御部１３ｃに施錠指示信号を出力する。電気ストライク部１３の制御部１３ｃは、施錠指示信号が入力されると、状態監視部１３ａからの現在の錠前７の施解錠状態及び扉６の開閉状態を認識し、錠駆動部１３ｄに施錠駆動信号を出力する。錠駆動部１３ｄは、施錠駆動信号が入力されると、錠前７を施錠制御する。これにより、錠前７は施錠状態となり、扉６の開閉による住戸内への出入りができなくなる。なお、上記動作中の履歴情報は、記憶部２７に逐次記憶される。
【００５４】
次に、住戸人が外出時に住戸外から携帯機４を用いて解錠状態の錠前７を施錠する場合の動作について説明する。
【００５５】
外出時に住戸人が外に出て扉６を閉め、扉６の前で所持する携帯機４をリーダー部１４（ＩＤ取得部１４ａ）にかざすと、リーダー部１４（ＩＤ取得部１４ａ）が携帯機４から施解錠情報を取得し、取得情報が電気ストライク部１３の制御部１３ｃに出力される。同時に、インターホン部１５のカメラ部１５ｃを起動し、カメラ部１５ｃが住戸外の住戸人を撮影する。このカメラ部１５ｃが撮影した画像は、通信ＩＦ１１，２１を介して操作盤３に送信され、履歴情報とともに記憶部２７に逐次記憶される。このカメラ部１５ｃによる撮影及び記憶部２７への画像と履歴情報の記憶は必要に応じてなされる。そして、制御部１３ｃは、取得情報を記憶部１３ｂの認証用情報と照合して取得情報が正当な情報か否かを判別する。制御部１３ｃは、取得情報を正常認証すると、状態監視部１３ａからの現在の錠前７の施解錠状態及び扉６の開閉状態を認識し、錠駆動部１３ｄに施錠駆動信号を出力する。錠駆動部１３ｄは、施錠駆動信号が入力されると、錠前７を施錠制御する。これにより、錠前７は施錠状態となり、扉６の開閉による住戸内への出入りができなくなる。
【００５６】
なお、解錠状態の錠前７を施錠する場合、閉扉から所定時間後に自動的に施錠制御する構成としても良い。この場合、電気ストライク部１３の制御部１３ｃは、錠前７が解錠された後に閉扉されると、状態監視部１３ａから閉扉信号が入力して閉扉と判断して所定時間後に錠駆動部１３ｄに施錠駆動信号を出力し、錠駆動部１３ｄが錠前７を施錠する。
【００５７】
このように、本例の電気錠システム１は、インターホン機能を有する操作盤３と、複数の機能、すなわち本来の錠前７の施解錠機能やＩＤ取得機能に加え、インターホン機能や撮影機能を兼ね備えた電気ストライクユニット２から構成され、操作盤３を住戸内に設置し、電気ストライクユニット２を扉枠５に設置して操作盤３と通信可能に配線接続するだけの簡単な施工によりインターホン機能を構築することができる。しかも、単一の電気ストライクユニット２のみで複数の機能を構築できるので、製品コストを抑えることができる。
【００５８】
また、住戸外側にインターホン機能を実現するにあたって、扉枠５に電気ストライクユニット２を設置するだけの施工で済むため、防犯カメラやインターホン装置分の施工負担を減らすことができる。しかも、電気ストライクユニット２は、撮影機能も兼ねるので、カメラ部が別設置にならず、意匠性も向上する。
【００５９】
さらに、住戸内に設置される操作盤３と、扉枠５に設置される電気ストライクユニット２との間が通信可能に配線接続される構成であり、扉６内に電気的構成がなく、例えば通電金具などを用いた扉枠５と扉６との間の電気的配線が不要なので、配線作業の手間を省くことができる。
【００６０】
また、本例の電気錠システム１において、操作盤３の記憶部２７には、住戸外からのインターホン部１５による呼び出し操作や錠前７の施解錠操作（携帯機４の情報をリーダー部１４に取得させる操作、操作盤３からの施解錠指示操作）による状態変化が発生したときに、インターホン部１５のカメラ部１５ｃが撮影した画像を一連の履歴情報とともに記憶するので、画像も含めた出入管理を行うことができる。
【００６１】
そして、少なくとも住戸外からの呼び出し操作を含む状態変化が発生したときのみカメラ部１５ｃが撮影し、その画像を履歴情報とともに操作盤３の記憶部２７に記憶させる構成とすれば、メモリを節約して効率的な記録を行うことができる。しかも、帰宅時に記憶部２７に記憶された画像を再生することにより、不在時に何時誰が来訪したかを知ることができる。
【００６２】
ところで、上述した実施形態では、携帯機４を用いて住戸外から錠前７を施解錠する構成として説明したが、この構成に限定されるものではない。例えば、図１において、インターホン部１５の操作部１５ａとしてテンキーの構成を付加し、テンキーから入力される暗証番号をＩＤとしてリーダー部１４のＩＤ取得部１４ａが取得する構成としても良い。この場合、電気ストライク部１３の制御部１３ｃは、ＩＤ取得部１４ａが取得したテンキーによる暗証番号（ＩＤ）の正当性を判別し、正常認証したときのみ錠前を解錠するように錠駆動部１３ｄに解錠駆動信号を出力する。
【図面の簡単な説明】
【００６３】
【図１】本発明に係る電気錠システムのブロック構成図である。
【図２】本発明に係る電気錠システムの全体構成を示す概略図である。
【図３】特許文献１に開示されるテレビドアホン装置の全体構成図である。
【符号の説明】
【００６４】
１  電気錠システム
２  電気ストライクユニット
３  操作盤
４  携帯機
５  扉枠
６  扉
７  錠前
１１  通信ＩＦ
１２  電源ＩＦ
１３  電気ストライク部
１３ａ  状態監視部
１３ｂ  記憶部
１３ｃ  制御部
１３ｄ  錠駆動部
１４  リーダー部
１４ａ  ＩＤ取得部
１５  インターホン部
１５ａ  操作部
１５ｂ  表示部
１５ｃ  カメラ部
１５ｄ  音声入出力部
２１  通信ＩＦ
２２  電源ＩＦ
２３  操作部
２４  表示部
２５  カメラ部
２６  音声入出力部
２７  記憶部
２８  制御部
【図１】
0005074857.tif 000002
【図２】
0005074857.tif 000003
【図３】
0005074857.tif 000004